(57)【特許請求の範囲】
【請求項１】
防火区画を形成しようとする空間部に障害物が存在する建物において、
通常時は掛け軸により巻上げ状態に維持されて上記空間部周辺に格納され熱発泡耐火塗料層が形成された不燃性若しくは難燃性の多数の紐状体または帯状体を、火災発生時に上記掛け軸を外して前記空間部に配設することにより、火災による高熱で熱発泡性耐火塗料層の塗料が発泡して膨張し、防火壁を形成することを特徴とする障害物のある空間部の防火区画構造。
【請求項２】
防火区画を形成しようとする空間部に障害物が存在する建物において、
通常時は、熱溶融性の接着剤でくっつけて巻上げ状態に維持されて上記空間部周辺に格納され熱発泡耐火塗料層が形成された不燃性若しくは難燃性の多数の紐状体または帯状体を、火災発生時に上記接着剤が溶かされることで前記空間部に配設することにより、火災による高熱で熱発泡性耐火塗料層の塗料が発泡して膨張し、防火壁を形成することを特徴とする障害物のある空間部の防火区画構造。
【請求項３】
上記障害物が存在して上記紐状体または上記帯状体が配設される上記空間部下方は、耐火スクリーンで防火区画が形成されることを特徴とする請求項１または２に記載の障害物のある空間部の防火区画構造。
【発明の詳細な説明】
【０００１】
【発明の属する技術分野】
本発明は、障害物がある空間部に、好適な防火区画を形成するための防火区画構造に関する。
【０００２】
【従来の技術】
各種建物や施設ではそれぞれに対応した様々な防火対策が施され、火災の発生を阻止し、また、延焼を防止するようになっている。例えば、消火活動を行うためにスプリンクラーがあり、また、延焼を防止するために防火扉や防火壁等がある。
【０００３】
ところで、後者の防火壁の一種として耐火スクリーンがあり、この耐火スクリーンは常時は巻取りまたは折り畳まれて格納されており、火災発生時に引き出されて火災発生場所を隔離するようになっている。このように耐火スクリーンは、予め設定した防火区画を画成して類焼を防止するようになっている。
【０００４】
【発明が解決しようとする課題】
しかしながら、かかる従来の防火区画構造は、通路等の障害物が存在しない空間部を仕切るものであり、防火区画の形成を簡単かつ確実に行うことができる。
【０００５】
ところが、工場等にあって機能面を重視した建物では、天井付近にトラス梁や配管，ダクト，パイプ等が露出した状態で配置されている。このように梁や配管等が配された空間部を、常時はその連通性を確保した状態とする一方で、火災発生時には防火区画に形成しようとした場合に、例えば上記耐火スクリーンでは上記トラス梁や配管，ダクト，パイプが障害物となって、適切に防火区画を形成することができないという課題があった。
【０００６】
そこで、本発明はかかる従来の課題に鑑みて成されたもので、防火区画を形成しようとする空間部に障害物が存在する場合にあっても、火災発生時に適切に防火区画を形成することができる障害物のある空間部の防火区画構造を提供することを目的とする。
【０００７】
【課題を解決するための手段】
かかる目的を達成するために本発明の請求項１に示す障害物のある空間部の防火区画構造にあっては、防火区画を形成しようとする空間部に障害物が存在する建物において、通常時は掛け軸により巻上げ状態に維持されて上記空間部周辺に格納され熱発泡耐火塗料層が形成された不燃性若しくは難燃性の多数の紐状体または帯状体を、火災発生時に上記掛け軸を外して前記空間部に配設することにより、火災による高熱で熱発泡性耐火塗料層の塗料が発泡して膨張し、防火壁を形成する。
【００１０】
また、本発明の請求項２に示す障害物のある空間部の防火区画構造にあっては、防火区画を形成しようとする空間部に障害物が存在する建物において、通常時は、熱溶融性の接着剤でくっつけて巻上げ状態に維持されて上記空間部周辺に格納され熱発泡耐火塗料層が形成された不燃性若しくは難燃性の多数の紐状体または帯状体を、火災発生時に上記接着剤が溶かされることで前記空間部に配設することにより、火災による高熱で熱発泡性耐火塗料層の塗料が発泡して膨張し、防火壁を形成する。
さらに、本発明の請求項３に示す障害物のある空間部の防火区画構造にあっては、上記障害物が存在して上記紐状体または上記帯状体が配設される上記空間部下方は、耐火スクリーンで防火区画が形成される。
【００１４】
以上の構成により、本発明の請求項１または２に示す障害物のある空間部の防火区画構造にあっては、上記紐状体または上記帯状体は、上記空間部に配設可能に該空間部周辺に格納しておくようにしたので、通常時は紐状体または帯状体は空間部の周辺に格納されているため、当該空間部は完全に連通された状態となる。他方、火災発生時には格納していた紐状体または帯状体を空間部に配設することにより、火災による高熱で熱発泡性耐火塗料層の塗料が発泡して膨張し、防火壁を形成することができる。ところで、紐状体または帯状体を空間部に配設する際、これら紐状体または帯状体は容易に撓んで障害物を乗り越える等して、当該障害物の周りを柔軟に取り囲むことができ、熱発泡性耐火塗料層の塗料が発泡した際に障害物の周囲を適切に取り囲むようにして防火壁を形成することができる。
上記紐状体または帯状体は床面まで垂下させてもよく、このようにすれば床上にある障害物に対してもこれを取り囲む防火壁を形成できる。
【００１５】
また、本発明の請求項３に示す障害物のある空間部の防火区画構造にあっては、障害物が存在する空間部の下方については耐火スクリーンで防火区画を形成するようにしていて、これにより障害物が存在する空間全面を一連の防火区画に構成することができる。
【００１６】
【発明の実施の形態】
以下、本発明の実施形態を添付図面を参照して詳細に説明する。図１から図４は本発明の障害物のある空間部の防火区画構造の一実施形態を示し、図１は防火区画構造の通常時の正面図、図２は防火区画構造の防火区画形成時の正面図、図３は防火区画構造の通常時の要部拡大図、図４は防火区画構造の防火区画形成時の要部拡大図である。
【００１７】
即ち、本実施形態の防火区画構造１０は、図１に示すようにダクト１２やパイプ１４等の障害物が存在する空間部１６に設けられ、天井部１８から不燃性若しくは難燃性の紐状体２０を所定間隔をもって多数垂下する。そして、図３に示すようにこれら紐状体２０個々に、熱発泡性耐火塗料２２を塗布することにより熱発泡性耐火塗料層を構成してある。勿論、紐状体２０とは十分に柔らかくて容易に可撓されるものである。
【００１８】
ここで、上記熱発泡性耐火塗料２２は、火災時等の高熱が作用すると発泡して数十倍に体積が膨張するものである。この熱発泡性耐火塗料２２自体は周知のものであって、バインダー，難燃剤，発泡剤，炭化剤，充填剤を所定割合で混合したものなどが用いられる。例えば、バインダーとしてビニルトルエン−ブタジエン共重合体またはビニルトルエン−アクリル酸エステル共重合体が用いられ、かつ、難燃材としてポリリン酸アンモニウム、発泡剤としてメラミン、炭化剤としてジペンタエリスリトール、充填剤として二酸化チタンが用いられている。また、これら混合体に可塑剤として塩素化パラフィンを混合したものもある。
【００１９】
上記防火区画構造１０は、工場等の機能面を重視した建物に適用された場合であって、上記障害物としてのダクト１２およびパイプ１４は空間部１６の天井部１８に近い上方位置に連通状態で配置されている。そして、該空間部１６は通常は通路などとしても利用され、かつまた空調用の調和空気を流通させる必要性などをも考慮して連通性を備えた空間部１６となっている。従って、火災発生時には上記連通されたダクト１２およびパイプ１４を含めた空間部１６を全体的に遮蔽する必要がある。
【００２０】
そして、上記紐状体２０を取付けるにあたって、図１に示したように上記ダクト１２およびパイプ１４の配置部分以外の区間Ｐは、空間部１６の上端となる天井部１８から紐状体２０ａを垂下する。一方、上記ダクト１２およびパイプ１４の配置部分の区間Ｑは、まず、天井部１８からこれらダクト１２およびパイプ１４上端までの紐状体２０ｂを垂下し、更に、これらダクト１２およびパイプ１４の下端からも紐状体２０ｃを垂下するようにする。勿論、上記紐状体２０ａ，２０ｂは上端部が天井部１８に耐熱性を備えた接着剤またはビス等を介して取り付けられるとともに、上記紐状体２０ｃも同様にしてダクト１２およびパイプ１４の下端に取り付けられる。
【００２１】
以上の構成により本実施形態の障害物のある空間部の防火区画構造１０にあっては、空間部１６の天井部１８およびダクト１２，パイプ１４から多数の、不燃性等の紐状体２０ａ，２０ｂ，２０ｃを垂下して、該空間部１６を全体的に覆ってあり、かつ、これら紐状体２０ａ，２０ｂ，２０ｃ個々には熱発泡性耐火塗料２２が塗布されている。従って、火災発生によりこのときの高熱が上記熱発泡性耐火塗料２２に作用すると、該熱発泡性耐火塗料２２は発泡して数十倍に膨張し、図４に示すように隣接する個々の紐状体２０の熱発泡性耐火塗料２２どうしが互いに付着し合う。そして、熱発泡性耐火塗料２２が発泡すると、この発泡層は上記ダクト１２やパイプ１４等の障害物を避けつつ膨張し、図２に示すようにダクト１２およびパイプ１４を取り囲んで一連の防火壁２４を形成する。この防火壁２４は空間部１６全体を閉塞して高い断熱機能を発揮し、もって延焼をくい止めることができる。
【００２２】
一方、通常時は空間部１６には柔らかい紐状体２０があたかも暖簾状となって垂下されている状態となっている。このため、これら紐状体２０はダクト１２やパイプ１４と干渉することがなく、また調和空気等は紐状体２０の隙間から自由に流通することができ、その連通性を保証することができる。
【００２３】
図５は他の実施形態を示し、上記実施形態と同一構成部分に同一符号を付して重複する説明を省略して述べる。図５は防火区画構造を示す正面図である。
【００２４】
即ち、この実施形態の防火区画構造１０ａでは図５に示すように、熱発泡性耐火塗料２２が塗布された多数の紐状体２０の上端部をそれぞれ天井部１８に連結して暖簾状幕体２６とする一方、この暖簾状幕体２６を上方に巻き取って格納するようにしている。
【００２５】
従って、この実施形態では熱発泡性耐火塗料２２が塗布された紐状体２０を暖簾状幕体２６として天井部１８に取付け、常時は実線で示すように該暖簾状幕体２６を巻き上げて格納するようにしたので、通常時は暖簾状幕体２６が空間部１６から取り除かれるため、当該空間部１６は完全に連通された状態となる。そして、火災発生時には格納していた上記暖簾状幕体２６を二点鎖線で示すように降ろして空間部１６に配設することにより、上記実施形態で述べたように火災による高熱で暖簾状幕体２６の紐状体２０に塗布した熱発泡性耐火塗料２２が発泡して膨張し、防火壁を形成することができる。暖簾状幕体２６を降ろす方法としては、例えば幕体２６を巻き上げ状態に維持する図示しない掛け軸を外したり、巻き上げ状態の各紐状体２０を熱溶融性の接着剤でくっつけて巻き上げ状態に維持しておき、火災発生時の熱でこの接着剤が溶かされることで紐状体２０が降りる仕組みなど、様々な方法を採用することができ、要は巻き上げてある幕体２６が火災発生時に降りるようにすればよい。
【００２６】
ところで、上記暖簾状幕体２６が降りる際、紐状体２０は容易に撓んで、図示したようにダクト１２やパイプ１４の周りを柔軟に取り囲むことができ、熱発泡性耐火塗料２２が発泡した際にダクト１２やパイプ１４の周囲を適切に取り囲んで防火壁を形成することができる。
【００２７】
図６，図７は他の実施形態を示し、上記実施形態と同一構成部分に同一符号を付して重複する説明を省略して述べる。図６は防火区画構造を示す通常時の正面図、図７は防火区画構造を示す防火区画形成時の正面図である。
【００２８】
即ち、この実施形態の防火区画構造１０ａでは図６，図７に示すように、熱発泡性耐火塗料２２が塗布された多数の紐状体２０の上端部をそれぞれ連結して暖簾状幕体２６とする一方、天井部１８にレール２８を左右方向に取り付け、暖簾状幕体２６を該レール２８に沿って移動自在に取付ける。そして、常時は図６に示したように該暖簾状幕体２６を左右方向の端部に集めて格納しておく。本実施形態では左端部としたが、中央部分から２分割して両端部に格納してもよい。
【００２９】
ところで、この実施形態では上記紐状体２０を移動式とした関係上、該紐状体２０の長さを障害物となるダクト１２およびパイプ１４の下端部より若干下がる程度の長さに設定し、暖簾状幕体２６の移動に伴って個々の紐状体２０がダクト１２およびパイプ１４を乗り越えることができるようになっている。
【００３０】
従って、この実施形態では熱発泡性耐火塗料２２が塗布された紐状体２０を暖簾状幕体２６として天井部１８に移動自在に取付け、常時は図６に示すように該暖簾状幕体２６を格納するようにしたので、通常時は暖簾状幕体２６が空間部１６から取り除かれるため、当該空間部１６は完全に連通された状態となる。そして、火災発生時には格納していた上記暖簾状幕体２６を図７に示すように引き出して空間部１６に配設することにより、上記実施形態で述べたように火災による高熱で暖簾状幕体２６の紐状体２０に塗布した熱発泡性耐火塗料２２が発泡して膨張し、防火壁を形成することができる。
【００３１】
ところで、上記暖簾状幕体２６を引き出す際、紐状体２０は容易に撓んで障害物を乗り越えるため、図７に示したようにダクト１２やパイプ１４の周りを柔軟に取り囲むことができ、熱発泡性耐火塗料２２が発泡した際にダクト１２やパイプ１４の周囲を適切に取り囲んで防火壁を形成することができる。
【００３２】
ところで、上記各実施形態では紐状体２０に熱発泡性耐火塗料２２を塗布する場合を開示したが、該紐状体２０に代えて柔らかい帯状体を用いても同様の機能を発揮することができる。また、上記各実施形態の防火区画構造１０，１０ａは、火災により熱発泡性耐火塗料２２が発泡した後は、新たなものと取り換えるようになっている。更に、上記防火区画構造１０，１０ａはダクト１２やパイプ１４等の障害物が配置される空間部１６に適用して好適なものであるが、これら障害物が存在しない空間部に適用しても良いことはいうまでもない。
【００３３】
図８はさらに他の実施形態を示し、上記実施形態と同一構成部分に同一符号を付して重複する説明を省略して述べる。図８は防火区画構造を示す正面図である。この実施形態の防火区画構造１０ｂは、上記紐状体若しくは帯状体として、鋼材３０や金属メッシュ３２を採用した場合を示している。すなわち、パイプ１４やダクト１２が貫通する部分については、これを取り囲むようにして金属メッシュ３２が配設されている。この金属メッシュ３２はすなわち、不燃性若しくは難燃性の紐状体または帯状体を斜め方向に多数配設した構造として捉えることができる。またこの金属メッシュ３２の上方には天井部１８との間に水平方向に渡してトラス３４が設けられていて、このトラス３４も防火区画を形成する際の障害物となる。そしてこのようなトラス３４に対し本実施形態にあっては、当該トラス３４内に、これも不燃性若しくは難燃性の紐状体または帯状体として捉えることができる鋼材３０が水平方向に多数配設されている。そしてこれら鋼材３０および金属メッシュ３２にはもちろん、上記熱発泡性耐火塗料２２が塗布されている。従って、防火区画を形成しようとする空間であってパイプ１４やダクト１２、さらにはトラス３４などの障害物が存在する当該空間部１６であっても、金属メッシュ３２や鋼材３０の利用によって、上記と同様な熱発泡性耐火塗料２２による防火壁を形成することができるようになっている。
【００３４】
さらに図８の実施形態にあっては、上記空間部１６下方について、巻き上げて格納可能な難燃性・不燃性の布製等の耐火スクリーン３６が金属メッシュ３２の下端部位置に設けられ、火災発生時にはこの耐火スクリーン３６を繰り下げることにより防火区画を形成することができ、これによりパイプ１４やダクト１２、トラス３４などの障害物が存在する空間部１６であってもその全面を一連の防火区画に構成することができる。
【００３８】
【発明の効果】
以上の構成により、本発明の請求項１または２に示す障害物のある空間部の防火区画構造にあっては、上記熱発泡性耐火塗料層が形成された上記紐状体または上記帯状体は、上記空間部に配設可能に該空間部周辺に格納しておくようにしたので、通常時は紐状体または帯状体は空間部の周辺に格納されているため、当該空間部を完全に連通した状態にすることができる。他方、火災発生時には格納していた紐状体または帯状体を空間部に配設することにより、火災による高熱で熱発泡性耐火塗料層の塗料が発泡して膨張し、防火壁を形成することができる。そして、紐状体または帯状体を空間部に配設する際、これら紐状体または帯状体は容易に撓んで障害物を乗り越える等して、当該障害物の周りを柔軟に取り囲むことができ、熱発泡性耐火塗料層の塗料が発泡した際に障害物の周囲を適切に取り囲むようにして防火壁を形成することができる。
上記紐状体または帯状体は床面まで垂下させてもよく、このようにすれば床上にある障害物に対してもこれを取り囲む防火壁を形成できる。
【００３９】
また、本発明の請求項３に示す障害物のある空間部の防火区画構造にあっては、障害物が存在する空間部の下方については耐火スクリーンで防火区画を形成するので、これにより障害物が存在する空間全面を一連の防火区画に構成することができる。
【図面の簡単な説明】
【図１】本発明の一実施形態で防火区画構造の通常時の正面図である。
【図２】本発明の一実施形態で防火区画構造の防火区画形成時の正面図である。
【図３】本発明の一実施形態で防火区画構造の通常時の要部拡大図である。
【図４】本発明の一実施形態で防火区画構造の防火区画形成時の要部拡大図である。
【図５】本発明の他の実施形態で防火区画構造の正面図である。
【図６】本発明のさらに他の実施形態で防火区画構造の通常時の正面図である。
【図７】図６の防火区画構造の防火区画形成時の正面図である。
【図８】本発明のさらに他の実施形態で防火区画構造の正面図である。
【符号の説明】
１０，１０ａ，１０ｂ  防火区画構造
１２  ダクト
１４  パイプ
１６  空間部
２０  紐状体
２２  熱発泡性耐火塗料
２４  防火壁
２６  暖簾状幕体
３０  鋼材
３２  金属メッシュ
３４  トラス
３６  耐火スクリーン
【図１】
0003606049.tif 000002
【図２】
0003606049.tif 000003
【図３】
0003606049.tif 000004
【図４】
0003606049.tif 000005
【図５】
0003606049.tif 000006
【図６】
0003606049.tif 000007
【図７】
0003606049.tif 000008
【図８】
0003606049.tif 000009